(57)【要約】【課題】送信対象として原稿ではなく、画像ファイルが指定され、尚且つ、少なくとも前処理段階で得た送信宛先がｓＹＣＣでのＪＰＥＧ符号化情報の受信機能を有することが判明したという条件でもって、その画像ファイルの送信することで、その画像ファイルの情報量に基づく送信できるか否かの判定を省略させることができ、効率良く送信する。【解決手段】カラー画像を送信する際、前処理で受信機側がｓＹＣＣでのＪＰＥＧ符号化情報の受信機能を有することが判明し（Ｓ２２）、尚且つ、送信すべきカラー画像が画像ファイルであることを指示された場合（Ｓ２０）、それ以上、受信機がその画像ファイルを受信できるか否かの検査を行わず、送信処理を開始する（Ｓ２４、Ｓ２６）。【選択図】  図４
2004166149.tif 000002
【特許請求の範囲】
【請求項１】
カラー情報を通信可能なファクシミリ装置における通信制御方法であって、
前手順にて、受信機から、色空間ＬａｂでのＪＰＥＧ符号化情報の受信機能の有無、色空間Ｌａｂでのフルカラー情報の受信機能の有無、及び、色空間ｓＹＣＣでのＪＰＥＧ符号化情報の受信機能の有無の通知情報を受信する受信工程と、カラー画像ファイルの送信が指示されたか否かを判定する第１の判定工程と、前記受信工程で受信した通知情報中に、前記受信機が少なくともｓＹＣＣでのＪＰＥＧ符号化情報の受信機能を有する情報が存在するか否かを判定する第２の判定工程と、
前記第１の判定工程によってカラー画像ファイルの送信が指示され、前記第２の判定工程によって前記受信機がｓＹＣＣでのＪＰＥＧ符号化情報の受信機能を有された場合、少なくとも前記受信機の受信可能な情報量については検査対象外とし、カラー画像ファイルの送信処理を実行する工程と
を備えることを特徴とする通信制御方法。
【発明の詳細な説明】
【０００１】
【発明の属する技術分野】
本発明はファクシミリ通信、特に、ファクシミリにおいてＪＰＥＧ画像の通信に関するものである。
【０００２】
【従来の技術】
カラー情報を通信可能なファクシミリ装置は、ＩＴＵ−Ｔ勧告Ｔ．３０、Ｔ．４、Ｔ．８１、Ｔ．４２に従って行われ、送信するカラー画像は色空間Ｌａｂを用いる。
【０００３】
ところで、最近は、デジタルカメラが普及してきており、必然、デジタルカメラで撮影した情報をそのままファクシミリプロトコルを使用して送信したいというニーズが高まてきている。
【０００４】
【発明が解決しようとする課題】
デジタルカメラで使用している色空間はＬａｂでなく、色空間ｓＹＣＣであるので、当然、色空間ｓＹＣＣでのＪＰＥＧ符号化情報をそのまま送信するプロトコルが望まれる。
【０００５】
しかしながら、色空間ｓＹＣＣのＪＰＥＧフルカラー送信を考えた場合、基本的には、カラー原稿情報の送信ではなく、デジタルカメラで撮影し、コンパクトフラッシュ（登録商標）カード等の可搬性記憶媒体に格納されているファイル情報送信となるであろう。この場合は、色空間Ｌａｂでのカラー原稿情報の送信時の様に、送信する解像度、及び、原稿サイズのネゴシエーションは実行せずに、主走査画素数及び副走査の画素数を送信側から受信側へＪＥＰＧファイルのヘッダにて通知する。従って、ｓＹＣＣでも同様の処理を行ってしまうと、情報量が大きいことから、受信機にて受信・記録を行えないことが予想される。
【０００６】
本発明は、かかる問題点に鑑みなされたものであり、前処理段階で得た情報に基づき、送信宛先がｓＹＣＣでのＪＰＥＧ符号化情報の受信機能を有することが判明した場合、デジタルカメラ等で撮像された画像ファイルの受信機能を有しているものと判定するようにすることで、画像ファイルが指定され、尚且つ、上記機能を受信機が有するという２つの条件を満たした場合、その画像ファイルの送信することで、その画像ファイルの情報量に基づく送信できるか否かの判定を省略させることができ、効率良く送信することを可能ならしめる技術を提供しようとするものである。
【０００７】
【課題を解決するための手段】
この課題を解決するため、たとえば本発明の通信制御方法は以下の工程を備える。すなわち、
カラー情報を通信可能なファクシミリ装置における通信制御方法であって、
前手順にて、受信機から、色空間ＬａｂでのＪＰＥＧ符号化情報の受信機能の有無、色空間Ｌａｂでのフルカラー情報の受信機能の有無、及び、色空間ｓＹＣＣでのＪＰＥＧ符号化情報の受信機能の有無の通知情報を受信する受信工程と、カラー画像ファイルの送信が指示されたか否かを判定する第１の判定工程と、前記受信工程で受信した通知情報中に、前記受信機が少なくともｓＹＣＣでのＪＰＥＧ符号化情報の受信機能を有する情報が存在するか否かを判定する第２の判定工程と、
前記第１の判定工程によってカラー画像ファイルの送信が指示され、前記第２の判定工程によって前記受信機がｓＹＣＣでのＪＰＥＧ符号化情報の受信機能を有された場合、少なくとも前記受信機の受信可能な情報量については検査対象外とし、カラー画像ファイルの送信処理を実行する工程とを備える。
【０００８】
【発明の実施の形態】
以下、添付図面に従って本発明に係る実施形態を説明する。
【０００９】
図１は、実施形態におけるファクシミリ装置のブロック構成図である。
【００１０】
図中、２は、ＮＣＵ（網制御装置）で、電話網をデータ通信等に使用するために、その回線の端末に接続し、電話交換網の接続制御を行ったり、データ通信路への切り換えを行ったり、ループの保持を行うものである。また、ＮＣＵ２は、バス２６からの制御により、電話回線２ａを電話機側に接続（ＣＭＬオフ）したり、電話回線２ａをファクシミリ装置側に接続（ＣＭＬオン）するものである。なお、通常状態では、電話回線２ａは、電話機４側に接続されている。
【００１１】
６はハイブリッド回路であり、送信系の信号と受信系の信号とを分離し、加算回路１２からの送信信号をＮＣＵ２経由で電話回線２ａに送出し、相手側からの信号をＮＣＵ２経由で受け取り、信号線６ａ経由で変復調器８に送るものである。
【００１２】
８は変復調器であり、ＩＴＵ−Ｔ勧告Ｖ．８、Ｖ．２１、Ｖ．２７ｔｅｒ、Ｖ．２９、Ｖ．１７、Ｖ．３４に基づいた変調及び復調を行う変復調器であり、バス２６の制御により、各伝送モードが指定される。８はバス２６からの送信信号を入力し、変調データを信号線８ａに出力し、信号線６ａに出力されている受信信号を入力し、復調データをバス２６に出力する。
【００１３】
１０は発呼回路であり、バス２６からの信号により、電話番号情報を入力し、信号線１０ａにＤＴＭＦの選択信号を出力する。１２は加算回路であり、信号線８ａの情報と信号線１０ａの情報を入力し、加算した結果を信号線１２ａに出力する。１４は不図示のスキャナ部より原稿をカラー読み取り可能な読取回路であり、読み取りデータをバス２６に出力する。１６は、カラー記録可能な記録回路であり、バス２６に出力されている情報を順次１ライン毎に記録する。
【００１４】
１８は、メモリ回路であり、ワーク用のメモリ（ＲＡＭ）、さらに、読み取りデータの生情報、あるいは、符号化した情報を格納したり、また、受信情報、あるいは、復号化した情報等をバス２６を介して格納する。２０は操作部であり、ワンタッチダイヤル、短縮ダイヤル、テンキー、＊キー、＃キー、スタートキー、ストップキー、セットキー、ファイル情報の送信を選択するキー、カラー情報送信選択キー、受信処理選択キー、その他のファンクションキーがあり、押下されたキー情報はバス２６に出力される。操作部には、表示部（たとえば液晶表示器）があり、バス２６に出力されている情報を入力し、各種メッセージ等を表示する。２８はカードインターフェイスであり、３０のカード（例えば、デジタルカメラで撮影した情報が記憶されているコンパクトフラッシュ（登録商標）カードで、以下、メモリカードという）を接続するものである。
【００１５】
そして、２２はＣＰＵ（中央処理装置）であり、ファクシミリ全体の制御をしたり、ファクシミリ伝送制御手順を実行するが、その制御プログラムは、ＲＯＭ２４に格納される。
【００１６】
図２は、本実施形態におけるカラー関連のビット情報、さらに、新規にＩＴＵ−Ｔ勧告Ｔ．３０に追加する情報が図示されている。
【００１７】
ＤＩＳ／ＤＴＣ信号のＦＩＦのビット６８により、色空間ＬａｂでのＪＰＥＧ符号化での受信機能の有無を通知し、ＤＣＳ信号のＦＩＦのビット６８により、色空間ＬａｂでのＪＰＥＧ符号化での送信を指定をすることを示している。
【００１８】
また、ＤＩＳ／ＤＴＣ信号のＦＩＦのビット６９により、色空間はＬａｂであるフルカラー受信機能の有無を通知し、ＤＣＳ信号のＦＩＦのビット６９により、色空間はＬａｂであるフルカラー送信を指定をする。
【００１９】
ＤＩＳ／ＤＴＣ信号のＦＩＦのビットＸにより、色空間ｓＹＣＣでのＪＰＥＧ符号化／フルカラー受信機能の有無を通知し、ＤＣＳ信号のＦＩＦのビットＸにより、色空間ｓＹＣＣでのＪＰＥＧ符号化／フルカラー送信を指定をする。
【００２０】
本実施形態では、後述する如く、前手順にて、受信機側は、送信機側に対し、色空間ＬａｂでのＪＰＥＧ符号化情報の受信機能の有無を通知する手段、色空間Ｌａｂでのフルカラー情報の受信機能の有無を通知する手段、色空間ｓＹＣＣでのＪＰＥＧフルカラー符号化情報の受信機能の有無を通知する手段を備え、一方、送信機は受信機に対し、色空間ＬａｂでのＪＰＥＧ符号化情報の送信を指定する手段、色空間Ｌａｂでのフルカラー情報の送信を指定する手段、色空間ｓＹＣＣでのＪＰＥＧフルカラー符号化情報の送信を指定する手段、送信機側にてカラー送信を選択する手段、送信機側にてファイル送信を指定する手段を有し、送信機側でのモード設定により、受信機側でこれから送信する情報量の情報を受信できるか否かの判定の実行を決定する。
【００２１】
具体的には、送信機側にて、操作部２０によるマニュアルにより、メモリカード３０内のカラー画像ファイルの送信が選択されていれば、受信機側でこれから送信する情報量の情報を受信できるか否かの判定をしない。また、送信機側にて、カラーファイル送信が選択されていなければ、受信機側でこれから送信する情報量の情報を受信できるか否かの判定をする。
【００２２】
以上の処理を実現するプログラムがＲＯＭ２４に格納されているが、以下、その具体的な処理手順を図３、４、５、６、７のフローチャートに従って説明する。
【００２３】
図３において、先ずステップＳ２では、バス２６を介して、メモリ１８をイニシャライズし、ステップＳ４において、同様に、バス２６を介して操作部２０の表示部をクリアする。この後、ステップＳ６においてバス２６を介してＮＣＵ２のＣＭＬをオフする。
【００２４】
ステップＳ８では、ファクシミリ送信が選択されたか否かが判断される。送信が選択されたと判断した場合には、ステップＳ１２に進み、ＮＯである場合にはステップＳ１０へと進んでその他の処理を行ない、ステップＳ６に戻る。
【００２５】
送信が選択され、ステップＳ１２に進むと、バス２６を介してＮＣＵ２のＣＭＬをオンにする。次いで、ステップＳ１４に進み、操作部より相手先端末のダイヤル（短縮ダイヤルを含む）の操作が行われると、バス２６を介して、発呼回路を使用して指定された宛先へ発呼する。
【００２６】
この後、ステップＳ１６において、前手順を行ない、ステップＳ１８で操作部の情報を入力して、カラー情報の送信が選択されたか否かが判断され、ＹＥＳであるとステップＳ２０に進み、ＮＯであるとステップＳ５８に進む。
【００２７】
ステップＳ２０では、操作部の情報を入力して、ファイル情報の送信が選択されたか否かが判断され、ＹＥＳ、すなわち、メモリカード内のカラー画像ファイルの送信であると判断した場合にはステップＳ２２に進み、ＮＯ（通常のカラー原稿の読み取り＆送信）であるとステップＳ３２に進む。
【００２８】
ステップＳ２２では、前処理で得られたＤＩＳ信号のＦＩＦのビットＸは１であるか否かが判断され、ＹＥＳであるとステップＳ２４に進み、ＮＯであるとステップＳ３０に進む。
【００２９】
ステップＳ２４では、残りの前手順を実行する。ここで、ＤＣＳ信号のＦＩＦのビットＸを１にする。また、ＤＩＳ信号の受信可能なサイズ、解像度（モノクロ、カラーともに）はチェックしない。
【００３０】
ステップＳ２６では、カードインターフェイスにセットされているメモリカード３０に格納されている色空間ｓＹＣＣのＪＰＥＧ符号化でのフルカラー情報を送信する。ここで、該当するフルカラー画像ファイル中のヘッダに含まれている主走査方向の画素数はＸパラメータ、副走査方向の画素数はＹパラメータに格納され、相手受信機に通知される。このあと、ステップＳ２８で後処理を行う。
【００３１】
なお、ステップＳ２２において、ＤＩＳ信号のＦＩＦのビットＸが“１”でない場合、ユーザが要求する送信が不可であるから、ステップＳ３０に進み、操作部の表示部に、「カラー送信はできませんでした」等のメッセージを表示する。この表示は、適当な時間が経過した場合、或いは、何らかのキー操作で消去する。
【００３２】
また、ファイル送信が選択されなかった場合、ステップＳ２０からステップＳ３２に進み、ＤＩＳ信号のＦＩＦのビットＸは１であるか否かが判断され、ＹＥＳであるとステップＳ３４に進み、ＮＯであるとステップＳ５０に進む。
【００３３】
ステップＳ３４に処理が進んだ場合、ＤＩＳ信号のＦＩＦのビット６８、６９が１であるか否かが判断され、ＹＥＳであるとステップＳ３６に進み、ＮＯであるとステップＳ３０に進む。
【００３４】
ステップＳ３６では、前手順で得たＦＩＦのＤＩＳにおけるビット１５、１７乃至２９や、ビット９７、１０５乃至１１１等を参照して、色空間Ｌａｂでのフルカラーの受信可能サイズ、受信可能解像度から受信可能な主走査方向の画素数、受信可能な副走査方向の画素数を推定して判断し、現在、選択されている解像度、原稿サイズでの送信が可能であるか否かが判断される。ＹＥＳであるとステップＳ３８に進み、ＮＯであるとステップＳ４４に進む。
【００３５】
ステップＳ３８は、残りの前手順を実行する。ここで、ＤＣＳ信号では、解像度、サイズの指定はしない。また、ＤＣＳ信号のＦＩＦのビットＸを１にする。
【００３６】
また、ステップＳ４０では、セットされた原稿サイズで、指定された解像度により、色空間ｓＹＣＣでのＪＰＥＧフルカラー送信を実行する事を表している。ここで、Ｘパラメータで主走査方向の画素数、Ｙパラメータで副走査方向の画素数を通知する。このあと、ステップＳ４２で後手順を行う。
【００３７】
一方、ステップＳ４４に進んだ場合には、残りの前手順を実行する。ここで、ＤＣＳ信号では、解像度、サイズの指定はしない。また、ＤＣＳ信号のＦＩＦのＸビットを１にする。
【００３８】
ステップＳ４６は、相手受信機の色空間Ｌａｂでのフルカラー受信能力と送信機側での設定から判断し、送信できる画素数に変換し、色空間ｓＹＣＣでのＪＰＥＧフルカラー送信を実行する事を表している。ここで、Ｘパラメータで主走査方向の画素数、Ｙパラメータで副走査方向の画素数を通知する。この後、ステップＳ４８で後手順を行う。
【００３９】
また、ステップＳ３２において、ＤＩＳ信号のＦＩＦのビットＸが１ではないと判断し、ステップＳ５０に進んだ場合、ＤＩＳ信号のＦＩＦのビット６８、６９は１であるか否かが判断され、ＹＥＳであるとステップＳ５２に進み、ＮＯであるとステップＳ３２に進む。
【００４０】
ステップＳ５２は、残りの前手順を実行する。ここで、色空間Ｌａｂでのフルカラー受信可能サイズ、解像度と送信機側での選択状況から、送信サイズ、解像度を決めて、ＤＣＳ信号にて通知する。また、ＸパラメータでＤＣＳ信号のＦＩＦのビット６８、６９を１にする。
【００４１】
また、ステップＳ５４は、色空間ＬａｂでのＪＰＥＧフルカラー送信の実行を表している。ここで、必要に応じて解像度変換をする。ステップＳ５６では後手順を行う。
【００４２】
また、送信する対象がカラー画像ではないと判断した場合、すなわち、通常のモノクロ原稿を読取り、送信すると判断した場合、ステップＳ１８からステップＳ５８に進み、残りの前手順を実行する。ここで、ＤＣＳ信号のＦＩＦのビット６８、６９、ビットＸを０にする。次いで、ステップＳ６０で、モノクロ原稿情報の送信を行う。ステップＳ６２は、後手順を表している。
【００４３】
＜第２の実施形態＞
本第２の実施形態においては、カラー情報を通信可能なファクシミリ装置において、前手順にて、受信機は送信機に対し、色空間ＬａｂでのＪＰＥＧ符号化情報の受信機能の有無を通知する手段、色空間Ｌａｂでのフルカラー情報の受信機能の有無を通知する手段、色空間ｓＹＣＣでのＪＰＥＧフルカラー符号化情報の受信機能の有無を通知する手段、一方、送信機は受信機に対し、色空間ＬａｂでのＪＰＥＧ符号化情報の送信を指定する手段、色空間Ｌａｂでのフルカラー情報の送信を指定する手段、色空間ｓＹＣＣでのＪＰＥＧフルカラー符号化情報の送信を指定する手段、送信機側にてカラー送信を選択する手段、送信機側にてこれから送信する情報の受信処理を指定する手段を有し、送信機側でのモード設定により、受信機側でこれから送信する情報量の情報を受信できるか否かの判定の実行を決定するものである。
【００４４】
具体的には、送信機側にて、これから送信する情報の受信処理として、ファイル格納が選択されていれば、受信機側でこれから送信する情報量の情報を受信できるか否かの判定をしない。また、送信機側にて、これから送信する情報の受信処理として、ファイル格納が選択されていなければ、受信機側でこれから送信する情報量の情報を受信できるか否かの判定をする。
【００４５】
なお、本第２の実施形態の場合、操作部より、相手先ファクシミリ装置に送信する際、相手先にファイルとして格納を要求するボタン又はスイッチ（物理的なものでも、タッチパネルに表示するものでも構わない）が設けられているものとする。
【００４６】
図８、９には、先に説明した第１の実施形態における図３、４、５、６、７の制御のフローチャートに対して異なる部分の制御手順を示している。
【００４７】
図８において、ステップＳ７０は、ステップＳ２０のＹＥＳの場合の処理を示している。
【００４８】
ステップＳ７２では、操作部の情報を入力して、送信機側にて、受信側の処理としてファイル格納が選択されているか否かが判断され、ＹＥＳであるとステップＳ２２（ステップＳ２２以降の処理は第１の実施形態参照）に進み、ＮＯであるとステップＳ７６に進む。なお、送信側の操作部には、相手先（受信側装置）に対して、ファイル格納を要求する指示ボタンを備えており、これを検出すことで判断する。ファイル格納要求は、たとえば、ＦＩＦのＤＣＳのビットＸ＋ｎを“１”にすることで、相手側に通知する。
【００４９】
ステップＳ７６では、ＤＩＳ信号のＦＩＦのビットＸは１であるか否かが判断され、ＹＥＳであるとステップＳ８０に進み、ＮＯであるとステップＳ３０に進む。
【００５０】
ステップＳ８０では、ＤＩＳ信号のＦＩＦのビット６８、６９は１であるか否かが判断され、ＹＥＳであるとステップＳ８６に進み、ＮＯであるとステップＳ８２に進む。
【００５１】
ステップＳ８２に進んだ場合、モノクロ受信機能（サイズ、解像度）と送信ファイルの画素数を比較して送信可能であるか否かが判断され、ＹＥＳであるとステップＳ９０に、ＮＯであるとステップＳ３０に進む。
【００５２】
また、ステップＳ８６に進んだ場合、色空間ＬａｂでのＪＰＥＧフルカラーの受信機能（サイズ、解像度）と送信ファイルの画素数を比較して送信可能であるか否かが判断され、ＹＥＳであるとステップＳ９０に進み、ＮＯであるとステップＳ３０に進む。
【００５３】
ステップＳ９０は、残りの前手順を実行する。ここで、ＤＣＳ信号のＦＩＦのビットＸを１にする。この後、ステップＳ２６に進むことになる。
【００５４】
ステップＳ９４（図９）は、第１の実施形態におけるステップＳ２０がＮｏとなった場合に開始されることを示している。
【００５５】
先ず、ステップＳ９６では、操作部の情報を入力して、送信機側にて受信側の処理としてファイル格納が選択されているか否かが判断され、ＹＥＳであるとステップＳ１００に進み、ＮＯであるとステップＳ３２に進む。
【００５６】
ステップＳ１００では、ＤＩＳ信号のＦＩＦのビットＸは１であるか否かが判断され、ＹＥＳであるとステップＳ１０４に進み、ＮＯであるとステップＳ３０に進む。
【００５７】
ステップＳ１０４に処理が進むと、残りの前手順を実行する。ここで、ＤＣＳ信号のＦＩＦのビットＸを１にする。また、ＤＩＳ信号の受信可能なサイズ、解像度（モノクロ、カラーともに）はチェックしない。
【００５８】
この後、ステップＳ１０６は、セットされた原稿サイズで、指定された解像度により、色空間ｓＹＣＣでのＪＰＥＧフルカラー送信を実行する事を表している。ここで、Ｘパラメータで主走査方向の画素数、Ｙパラメータで副走査方向の画素数を通知し、ステップＳ１０８で後手順を行い、ステップＳ６に戻る。
【００５９】
以上説明したように本実施形態によれば、色空間ｓＹＣＣのカラー通信を実行する場合にて、送信機側にて、カラーファイル情報の送信の選択が行なわれた場合、すなわち、カラー原稿情報の送信で無く、デジタルカメラで撮影しコンパクトフラッシュ（登録商標）カードに格納されているファイル情報送信の指示があった場合、受信機からｓＹＣＣでのＪＰＥＧ符号化情報の受信機能を有する通知をうけると、デジタルカメラ等で撮像した画像ファイルの受信機能を持っていることが高いので、その受信機側が受信できるサイズや、送信しようとする画像ファイルがカラーかモノクロなのか等による、受信可能かどうかの検査を行わず、送信処理を行う。一方、送信機側にて、カラーファイル情報の送信の選択が行なわれていないばあいには、色空間ｓＹＣＣのＪＰＥＧフルカラー送信を考えると、基本的には、カラー原稿情報の送信であり、相手受信機側でも受信、記録が多いと予想でき、送信機側にて、受信機側でこれから送信する情報量の情報を受信できるか否かの判定をして送信し確実にプリントできる事を確認でき、ユーザには更に使いやすい環境を提供できる。
【００６０】
更に、色空間ｓＹＣＣのカラー通信を実行する場合にて、受信側からファイルへの格納することが通知された場合、基本的には、カラー原稿情報の送信で無く、デジタルカメラで撮影しコンパクトフラッシュ（登録商標）カードに格納されているファイル情報送信のケースが多いことになるから、送信機側にて、受信機側でこれから送信する情報量の情報を受信できるか否かの判定をしないで送信することができるようになる。すなわち、この場合、送信側では、デジタルカメラ等の情報を一切変換無く、すなわち、ＣＰＵの負荷も無く、情報の劣化も無く送信できるようになる。一方、送信機側にて、これから送信する情報の受信処理として、ファイル格納が選択されていないと、色空間ｓＹＣＣのＪＰＥＧフルカラー送信を考えると、基本的には、カラー原稿情報の送信であり、相手受信機側でも受信、記録が期待されているので、送信機側にて、受信機側でこれから送信する情報量の情報を受信できるか否かの判定をして送信し確実にプリントできる事を確認できるようにもなる。
【００６１】
以上本発明に係る実施形態を説明したが、当業者であれば本発明の趣旨と範囲は本明細書の特定の説明と図に限定されるものではなく、本願特許請求の範囲に全て述べられた様々な修正と変更に及ぶことが理解されるであろう。
【００６２】
本発明の実施態様の例を以下に列挙する。
【００６３】
［実施態様１］  カラー情報を通信可能なファクシミリ装置における通信制御方法であって、
前手順にて、受信機から、色空間ＬａｂでのＪＰＥＧ符号化情報の受信機能の有無、色空間Ｌａｂでのフルカラー情報の受信機能の有無、及び、色空間ｓＹＣＣでのＪＰＥＧ符号化情報の受信機能の有無の通知情報を受信する受信工程と、カラー画像ファイルの送信が指示されたか否かを判定する第１の判定工程と、前記受信工程で受信した通知情報中に、前記受信機が少なくともｓＹＣＣでのＪＰＥＧ符号化情報の受信機能を有する情報が存在するか否かを判定する第２の判定工程と、
前記第１の判定工程によってカラー画像ファイルの送信が指示され、前記第２の判定工程によって前記受信機がｓＹＣＣでのＪＰＥＧ符号化情報の受信機能を有された場合、少なくとも前記受信機の受信可能な情報量については検査対象外とし、カラー画像ファイルの送信処理を実行する工程と
を備えることを特徴とする通信制御方法。
【００６４】
［実施態様２］  検査対象外には、解像度が含まれることを特徴とする実施態様１に記載の通信制御方法。
【００６５】
［実施態様３］  カラー情報を通信可能なファクシミリ装置であって、
前手順にて、受信機から、色空間ＬａｂでのＪＰＥＧ符号化情報の受信機能の有無、色空間Ｌａｂでのフルカラー情報の受信機能の有無、及び、色空間ｓＹＣＣでのＪＰＥＧ符号化情報の受信機能の有無の通知情報を受信する受信手段と、カラー画像ファイルの送信が指示されたか否かを判定する第１の判定手段と、前記受信手段で受信した通知情報中に、前記受信機が少なくともｓＹＣＣでのＪＰＥＧ符号化情報の受信機能を有する情報が存在するか否かを判定する第２の判定手段と、
前記第１の判定手段によってカラー画像ファイルの送信が指示され、前記第２の判定手段によって前記受信機がｓＹＣＣでのＪＰＥＧ符号化情報の受信機能を有された場合、少なくとも前記受信機の受信可能な情報量については検査対象外とし、カラー画像ファイルの送信処理を実行する手段と
を備えることを特徴とするファクシミリ装置。
【００６６】
［実施態様４］  カラー情報を通信可能なファクシミリ装置における通信制御方法であって、
前手順にて、受信機から、色空間ＬａｂでのＪＰＥＧ符号化情報の受信機能の有無、色空間Ｌａｂでのフルカラー情報の受信機能の有無、及び、色空間ｓＹＣＣでのＪＰＥＧ符号化情報の受信機能の有無の通知情報を受信する受信工程と、カラー画像ファイルの送信が指示されたか否かを判定する第１の判定工程と、前記受信機に対して、受信した情報をファイルとして格納させるか否かの指示入力があったか否かを判定する第２の判定工程と、
前記受信工程で受信した通知情報中に、前記受信機が少なくともｓＹＣＣでのＪＰＥＧ符号化情報の受信機能を有する情報が存在するか否かを判定する第３の判定工程と、
前記第１の判定工程によってカラー画像ファイルの送信が指示され、前記第２の判定工程によりファイル格納の指示があり、更に、前記第３の判定工程によって前記受信機がｓＹＣＣでのＪＰＥＧ符号化情報の受信機能を有された場合、少なくとも前記受信機の受信可能な情報量については検査対象外とし、カラー画像ファイルの送信処理を実行する工程と
を備えることを特徴とする通信制御方法。
【００６７】
［実施態様５］  検査対象外には、解像度が含まれることを特徴とする実施態様３に記載の通信制御方法。
【００６８】
［実施態様６］  カラー情報を通信可能なファクシミリ装置であって、
前手順にて、受信機から、色空間ＬａｂでのＪＰＥＧ符号化情報の受信機能の有無、色空間Ｌａｂでのフルカラー情報の受信機能の有無、及び、色空間ｓＹＣＣでのＪＰＥＧ符号化情報の受信機能の有無の通知情報を受信する受信手段と、
カラー画像ファイルの送信が指示されたか否かを判定する第１の判定手段と、前記受信機に対して、受信した情報をファイルとして格納させるか否かの指示入力があったか否かを判定する第２の判定手段と、
前記受信手段で受信した通知情報中に、前記受信機が少なくともｓＹＣＣでのＪＰＥＧ符号化情報の受信機能を有する情報が存在するか否かを判定する第３の判定手段と、
前記第１の判定手段によってカラー画像ファイルの送信が指示され、前記第２の判定手段によりファイル格納の指示があり、更に、前記第３の判定手段によって前記受信機がｓＹＣＣでのＪＰＥＧ符号化情報の受信機能を有された場合、少なくとも前記受信機の受信可能な情報量については検査対象外とし、カラー画像ファイルの送信処理を実行する手段と
を備えることを特徴とするファクシミリ装置。
【００６９】
【発明の効果】
以上説明したように本発明によれば、送信対象として原稿ではなく、画像ファイルが指定され、尚且つ、少なくとも前処理段階で得た送信宛先がｓＹＣＣでのＪＰＥＧ符号化情報の受信機能を有することが判明したという条件でもって、その画像ファイルの送信することで、その画像ファイルの情報量に基づく送信できるか否かの判定を省略させることができ、効率良く送信することが可能となる。
【図面の簡単な説明】
【図１】実施形態におけるファクシミリ装置のブロック構成図である。
【図２】実施形態におけるＤＩＳ／ＤＴＣ、ＤＣＳ信号のＦＩＦ情報の具体例を示す図である。
【図３】実施形態におけるファクシミリ送信にかかる処理手順を示すフローチャートである。
【図４】実施形態におけるファクシミリ送信にかかる処理手順を示すフローチャートである。
【図５】実施形態におけるファクシミリ送信にかかる処理手順を示すフローチャートである。
【図６】実施形態におけるファクシミリ送信にかかる処理手順を示すフローチャートである。
【図７】実施形態におけるファクシミリ送信にかかる処理手順を示すフローチャートである。
【図８】第２の実施形態におけるファクシミリ送信にかかる部分的な手順を示すフローチャートである。
【図９】第２の実施形態におけるファクシミリ送信にかかる部分的な手順を示すフローチャートである。
【図１】
2004166149.tif 000003
【図２】
2004166149.tif 000004
【図３】
2004166149.tif 000005
【図４】
2004166149.tif 000006
【図５】
2004166149.tif 000007
【図６】
2004166149.tif 000008
【図７】
2004166149.tif 000009
【図８】
2004166149.tif 000010
【図９】
2004166149.tif 000011